(57)【要約】      （修正有）【課題】裸眼大画面で眼精疲労なしで長時間見ることができる立体映像視覚ディスプレーを提供する。【解決手段】液晶ディスプレーのカラーフイルタ２４の前に液晶シャッター板２２と透明電極２３を設け、色別に切り換えて色のにじみを防ぎ、液晶ディスプレーに平面映像や立体映像を映出する時に、多視差振り分けレンチキュラーレンズシート２により白色バックライト４の光の振り分け方向を変えると同時にマスクＲＯＭのブランク部分の合成で左右映像を分離させる。【選択図】図３
0003188701.tif 000002
【実用新案登録請求の範囲】
【請求項１】
白色バックライト部と液晶ディスプレーの間に多視差振り分けレンチキュラーレンズシートを挟み、液晶ディスプレーに平面映像及び立体映像の内容を走査線奇数列或いは、偶数列に分割するようにメモリに縦走査線スキャンＰＵＬＳＥ回路からのパルスをＴ−ＦＦに入力、２パルスで１出力することでＴ−ＦＦから０と１の出力信号でメモリを書き込み読み出しで奇数列偶数列に分けさらに横走査線アドレスカウンタで横方向の画面上の場所を特定化して奇数列走査線のすぐ下列に映像信号を呼出、左右映像と中央カメラ映像を分けて表示することを特徴とした裸眼立体ディスプレー装置。
【請求項２】
液晶ディスプレーの前部に複数の映像映出時、色にじみを防止するため液晶シャッター板に透明電極を設け、色別に信号が入力されると同時に液晶シャッター板の開閉が制御され色別に纏まるように画面全体の液晶シャッター板が同時に作動することを特徴とする請求項１記載の裸眼立体ディスプレー装置。
【請求項３】
液晶ディスプレーに立体映像に必要な左右映像の分離のためのブランク部分を記憶しているマスクＲＯＭをカウンタから呼出左右映像に重ねてブランク部分を作り合成、液晶ディスプレーに出力して左右映像を分離しやすくすることを特徴とする請求項１記載の裸眼立体ディスプレー装置。
【考案の詳細な説明】
【技術分野】
【０００１】裸眼立体表示装置に関する分野で大画面、広視野で疲れなしで長時間視聴できる裸眼立体ディスプレー装置に関するものである。
【背景技術】
【０００２】出願人は平面映像及び立体映像表示に呈する多視差振り分けレンチキュラーレンズシートを考案しているが、バックライト光源の間に配置した場合、液晶ディスプレーに立体表示する左右分離を実用上行う事に問題があった。【０００３】既に提案されている多視差振り分けレンチキュラーレンズシートは、液晶表示部と光分散する凹レンズと液晶シャッターユニットを細かく開閉して右映像映出時、左映像映出時、振り分け方向の順序を正逆にして平面映像表示時そのまま前に光を出すなど光屈折率を制御して、このユニットを画面全体に並べて同時に制御することで広視野の光の進行方向を変えることができるものである。【０００４】
【特許文献】実用新案登録第３１７６９３３号
【０００５】裸眼立体表示に欠かせないレンチキュラーレンズシートはディスプレー画面に貼りつけて左右目に別々の映像を届ける分離装置であるがレンズ１個分に右映像成分と左映像成分が順序良く並んで入力されている。左右に分離するためバリア部分を入れるなど工夫されているが入力内容にこのバリア部分が或ると、バックライトの光が通過しないでその方向に光は出てこないと考えた。【０００６】インターレース方式で表示される場合、走査線奇数列と偶数列により立体映像の右映像成分は奇数列に左映像成分は偶数列に表示すると偏光メガネを使う方式と同じ効果が出る。長時間目の疲れなしで立体鑑賞できる。但し字幕等は立体表示は不要なため字幕は入れない表示とする。【０００７】さらに基準面という画面に視点を合わせて観るテレビは画素という細かい点で表示してあることでまず平面映像は字幕などを含めて画面にピントを合わせて両目で観る。立体表示の場合は前方向に映像分が出てくるもので左右目の片目の一方で見る。当然画面上にピントを合わせるので両眼の眼球角度が向きあうように変わる。これで交差するポイントが空間像になる。【０００８】この表示方法を繰りかえし行う事で平面映像を遠方の景色、立体映像を近くの景色物と考えれば近くの物が動いているならそれを見ることでいいし物が近くに移動する場合視点からの距離感覚で比較してどのくらい視差が異なるかで立体度が違う。其の比較は基準面と常に比較するのでこのような繰り返し表示が有効になる。
【考案の開示】
【考案の解決しようとする課題】
【０００９】本考案は、多視差振り分けレンチキュラーレンズシートの利用法で液晶ディスプレーのバックライトの光源の方向を変えるレンズシートに使うことで、広視野で立体映像を長時間疲労なしで、裸眼で観ることができる裸眼立体ディスプレー装置を提供するものである。
【課題を解決する手段】
【００１０】本考案請求項１記載の裸眼立体ディスプレー装置において、白色バックライト部と液晶ディスプレー部の間に多視差振り分けレンチキュラーレンズシートを挟み、液晶ディスプレー部に平面映像、立体映像の右映像及び左映像の内容を走査線奇数列及び偶数列に分けて入力表示することを特徴としたものである。
【００１１】本考案請求項２記載の裸眼立体ディスプレー装置によると液晶ディスプレー部前面に左右映像表示に色にじみを防ぐ目的でカラーフィルタ毎に液晶シャッターを設け、色別に液晶シャッターを同時に開くことで左右映像の色にじみが無く表示することを特徴とするものである。
【００１２】本考案請求項３記載の裸眼立体ディスプレー装置によると、平面映像時と立体映像時は左右分離のためブランク部を記憶しているマスクＲＯＭからブランク部分を立体映像映出時に作り液晶ディスプレーに入力することを特徴とするものである。
【考案の効果】
【００１３】裸眼立体映像の視聴を精眼疲労なしで長時間見ることができる効果と飛び出し系の映像と平面映像も字幕等もくっきり見える効果が或る。大画面化もできるだけでなく色のにじみも出ない特徴がある。
【考案を実施するための最良の形態】
【００１４】以下、考案の実施例の一形態を図１から図５を参照に説明する。図１は裸眼立体映像ディスプレーの多視差振り分けレンチキュラーレンズシートを組み合わせた一例を示した図である。１はディスプレー部で後部に２多視差振り分けレンチキュラーレンズシートを設けて４白色バックライト部で光源が２多視差振り分けレンチキュラーレンズシートを通して１ディスプレー部で照射している。前部に３カラーフィルターシャッター部を設けてある。２多視差振り分けレンチキュラーレンズシートは平面映像と立体映像で左映像及び右映像入力時、光振り分けの方向を変えることができるものであるから図２に示す映像入力回路で５映像入力端子は６演算回路１から１１メモリに入力、一方９縦方向走査線スキャンＰＵＬＳＥ回路から１０Ｔ−ＦＦに接続されて１１メモリに接続されている。１０Ｔ−ＦＦは「２」パルスカウンタすると「１」出力するデバイスである。これは縦走査線のカウンタで偶数列のみ出力「１」を出すことである。【００１５】１１メモリは１２横方向走査線アドレスカウンタと接続されている。１１メモリは記憶する場合、ＷＥ（ライトイネーブル）は１２横方向走査線アドレスカウンタで指定されたアドレスでＷＥピンを「０」の状態で書き込み「１」で読み出すことができるのでこれを応用して１０Ｔ−ＦＦが「０」の状態つまり走査線が奇数列である場合、書き込み状態にある。【００１６】５映像入力端子から左映像及び右映像が入力され６演算回路１で右映像データから左映像データを差演算したデータが出力される。【００１７】６演算回路１から左右映像差分データが１１メモリに入力されるが１０Ｔ−ＦＦが「０」の状態走査線奇数列で書き込まれることになる。走査線偶数列の時つまり「１」の状態で読み出される。１１メモリは１７演算回路２に接続されている。更に右映像データは１７演算回路２に入力されている。１７演算回路２は左映像データを出すため次の計算をするプログラムが組み込まれている。【００１８】演算するプログラムは、左映像データ＝右映像データ−（右映像データ−左映像データ）であるが既に演算回路１で（右映像データ−左映像データ）は出力されている。【００１９】これにより（４）フィールド時演算回路２の出力が読み出され左映像データが映出される。【００２０】次に７中央カメラ映像入力は１３平面立体切り換えモジュールに接続されている。画面はインターレースでフィールド毎に切り替えるので８フィールドカウンタで計数しＰ入力１６プロセッサでフィールド（１）及びフィールド（２）で１５のＡ／Ｂ／Ｃ切り換え回路でＡ出力した後１３平面立体切り換えモジュールを介して７中央カメラ映像入力から平面映像出力される。【００２１】１６プロセッサからフィールド（３）の場合１５Ａ／Ｂ／Ｃ切り換え回路はＢ、フィールド（４）の場合はＣを選び１４マスクＲＯＭは１７演算回路２に適切なブランク作成信号を入れる。同時にＱ端子で２０多視差振り分けレンチキュラーレンズシート制御回路へ各Ａ端子、Ｂ端子、Ｃ端子に切り替える信号を入れる。【００２２】図３は左右映像を振り分ける際に色のにじみを抑えるための液晶フィルタシャッター部の図である。２１液晶ディスプレーに２４カラーフィルタを介して２２液晶シャッター板が２３透明電極に色別に２５切換手段でＲカラー信号入力、Ｇカラー信号入力、Ｂカラー信号入力が時間差で別々に入るので同色同士結線して同時に色通過する【００２３】２１液晶ディスプレーに２多視差振り分けレンチキュラーレンズシートを介して４白色バックライト部の光源から光の進む方向を変化させるが図４に示す通り２６ブランク部分が立体表示で作成されて２１液晶ディスプレーに表示される。右目用ブランク部分は（ａ）左目用ブランク部分は（ｂ）である。右目にはブランク部分（ａ）は届かないので見えない。左目にはブランク部分（ｂ）は届かないので見えない。これで左右分離が出来るのでクロストークはない映像になる。勿論平面映像の表示の際にブランク部分はないのでそのまま映すことができる。【００２４】このように裸眼立体ディスプレー装置の構成はできる。
【図面の簡単な説明】
【００２５】
【図１】  本考案の全体の配置を示す図
【図２】  本考案の映像入力処理の回路図
【図３】  本考案の色選択の液晶フィルタシャッターの図
【図４】  本考案の液晶ディスプレーに入力映像の内容を示す図
【図５】  本考案の裸眼立体ディスプレー画面の前面の構成の図
【符号の説明】
【００２６】１    ディスプレー部
２    多視差振り分けレンチキュラーレンズシート
３    カラーフィルターシャッター部
４    白色バックライト部
５    映像入力端子
６    演算回路１
７    中央カメラ映像入力
８    フィ―ルドカウンタ
９    縦方向走査線スキャンＰＵＬＳＥ回路
１０  Ｔ−ＦＦ
１１  メモリ
１２  横方向走査線アドレスカウンタ
１３  平面立体切り換えモジュール
１４  マスクＲＯＭ
１５  Ａ／Ｂ／Ｃ切り換え回路
１６  プロセッサ
１７  演算回路２
１８  インターレース入力手段
１９  裸眼立体ディスプレー
２０  多視差振り分けレンチキュラーレンズシート制御回路
２１  液晶ディスプレー
２２  液晶シャッター板
２３  透明電極
２４  カラーフィルタ
２５  切換手段
２６  ブランク部分
２７  透過スクリーン
２８  レンチキュラーレンズシート
【図１】
0003188701.tif 000003
【図２】
0003188701.tif 000004
【図３】
0003188701.tif 000005
【図４】
0003188701.tif 000006
【図５】
0003188701.tif 000007
【手続補正書】
【提出日】平成25年11月1日(2013.11.1)
【手続補正１】
【補正対象書類名】実用新案登録請求の範囲
【補正対象項目名】請求項２
【補正方法】変更
【補正の内容】
【請求項２】
液晶ディスプレーの前部に複数の映像映出時、色にじみを防止するため液晶シャッター板と重ねて前部に透明電極を設け、色別に信号が入力されると同時に液晶シャッター板の開閉が制御され色別にまとまるように画面全体の液晶シャッター板が同時に作動することを特徴とする請求項１記載の裸眼立体ディスプレー装置。